(57)【特許請求の範囲】
【請求項１】
釣り糸を係止する釣り糸係止部と前記釣り糸係止部を支持する線状本体部とを備えた糸通しワイヤー具を穂先竿の竿先端部に取り付け可能な中通し竿用の先端キャップであって、
前記糸通しワイヤー具における前記線状本体部を巻付け装着可能な巻付装着部と、その巻付装着部の後端側に中通し竿の穂先先端部に取付可能な基端部とを形成し、前記巻付装着部と前記基端部との全長に亘って、前記巻付装着部と前記基端部との外周面から軸線位置に向かって、前記線状本体部を保持可能なスリット部を形成してある中通し竿用の先端キャップ。
【請求項２】
前記先端キャップに、前記糸通しワイヤー具における先端部を係止する頭部を形成し、前記頭部に前記線状本体部を保持可能な前記スリット部を形成してある請求項１記載の中通し竿用の先端キャップ。
【請求項３】
穂先先端部に外嵌装着可能な取付用穴部を形成し、前記糸通しワイヤー具を前記スリット部を介して取り付けた請求項１又は２記載の中通し竿用の先端キャップを、前記穂先先端部に装着可能に構成している中通し竿。
【発明の詳細な説明】
【技術分野】
【０００１】
中通し竿内の釣り糸挿通経路に釣り糸を誘導すべく、釣り糸を係止する釣り糸係止部と前記釣り糸係止部を支持する線状本体部とを備えた糸通しワイヤー具を取り付ける先端キャップ、及び、その先端キャップを備えている中通し竿に関する。
【背景技術】
【０００２】
リールから繰り出された釣り糸を、中通し竿内の釣り糸挿通経路に誘導するには、元竿に形成した糸導入孔より糸通しワイヤー具をその先端部から挿入するとともに、糸通しワイヤー具の先端部を穂先竿の竿尻開口より釣り糸挿通経路内に挿入する作業形態を必要としていた（特許文献１参照）。
【０００３】
【特許文献１】特許第３７７７２３８号（段落番号〔００２６〕、及び、図２）
【発明の開示】
【発明が解決しようとする課題】
【０００４】
しかし、糸通しワイヤー具を糸導入孔より差し込んで穂先竿の竿尻開口より釣り糸挿通経路内に挿入する作業形態を採る事ができるのは、穂先竿の竿尻開口が糸導入孔の近くに位置していることが前提となる。
穂先竿の竿尻開口を糸導入孔の近くに位置させるには、穂先竿の軸線長は、中竿と同一か略同一の長さであることが必要とされる。そうすると、穂先竿は中竿に比べて釣り糸挿通経路の孔径が小さなものであるので、穂先竿のみの釣り糸に対する移動抵抗は、穂先竿から元竿までの全釣り糸挿通経路の釣り糸に対する総移動抵抗の４０パーセント近くを占めるものとなっている。
実釣時において、釣り糸の繰り出し巻き上げ時の釣り糸の移動抵抗を低減するには、上記した穂先竿の長さにも着目する必要がある。
【０００５】
本発明の目的は、穂先竿の竿尻開口が糸導入孔の近くに位置しない場合であって、釣り糸挿通経路内への糸通しが容易に行えるとともに、糸挿通経路での糸の移動抵抗を低減することができる先端キャップ付き中通し竿を提供する点にある。
【課題を解決するための手段】
【０００６】
〔構成〕
請求項１に係る発明の特徴構成は、釣り糸を係止する釣り糸係止部と前記釣り糸係止部を支持する線状本体部とを備えた糸通しワイヤー具を穂先竿の竿先端部に取り付け可能な中通し竿用の先端キャップであって、
前記糸通しワイヤー具における前記線状本体部を巻付け装着可能な巻付装着部と、その巻付装着部の後端側に中通し竿の穂先先端部に取付可能な基端部とを形成し、前記巻付装着部と前記基端部との全長に亘って、前記巻付装着部と前記基端部との外周面から軸線位置に向かって、前記線状本体部を保持可能なスリット部を形成してある点にあり、その作用効果は次の通りである。
【０００７】
〔作用〕
つまり、スリット部を形成してあるので、前記先端部と釣り糸係止部の大きさに関係なく、線状本体部を前記巻付装着部と前記基端部における側面側からスリット部に挿し込み装着することができる。
これによって、糸通しワイヤー具を中通し竿の穂先側先端部に取り付けることができ、糸通しワイヤー具の線状本体部から釣り糸係止部を中通し竿内に収納した状態に装備できる。
【０００８】
一方、糸通しワイヤー具の線状本体部を先端キャップの巻付装着部に巻回して取付け、巻付装着部よりはみ出す線状本体部の残りの部分をスリット部に嵌め込み固定することによって、糸通しワイヤー具を先端キャップ自体のみに装着することが可能である。
これによって、実釣時には糸通しワイヤー具を取り付けた先端キャップを中通し竿より取り外し、先端キャップとともに糸通しワイヤー具を仕舞い処理できるので、単独で仕舞い処理する場合に比較して紛失等を少なくできる。
【０００９】
したがって、糸通しワイヤー具の線状本体部を先端キャップに取り付けるのに、糸通しワイヤー具側に取り付ける為の工夫を必要とせず、仕舞い処理も容易に行うことのできる、取り扱いの容易な中通し竿用の先端キャップを提供できるに至った。
【００１０】
請求項２に係る発明の特徴構成は、前記先端キャップに、前記糸通しワイヤー具における先端部を係止する頭部を形成し、前記頭部に前記線状本体部を保持可能な前記スリット部を形成してある点にあり、その作用効果は次の通りである。
【００１１】
請求項３に係る発明の特徴構成は、穂先先端部に外嵌装着可能な取付用穴部を形成し、前記糸通しワイヤー具を前記スリット部を介して取り付けた請求項１又は２記載の中通し竿用の先端キャップを、前記穂先先端部に装着可能に構成している点にあり、その作用効果は次の通りである。
【００１２】
〔作用効果〕
取付用穴部を穂先竿先端部に外嵌装着することによって、先端キャップを中通し竿に取り付けることができる。
したがって、糸通しワイヤー具の線状本体部をスリットに挿し込み装着し、線状本体部の残りの部分を中通し竿内に延出する状態で先端キャップを中通し竿の穂先竿先端部に外嵌固定したり、糸通しワイヤー具の線状本体部を先端キャップの巻付装着部に巻回して装着し、その先端キャップを中通し竿の穂先竿先端部に外嵌固定することが可能になり、先端キャップ及び糸通しワイヤー具の取扱いが容易になる。
【発明を実施するための最良の形態】
【００１３】
〔第１実施形態〕
中通し竿Ａについて説明する。図１及び図２に示すように、中通し竿Ａは、トップガイド４を備えた穂先竿１と、中竿２、リールシート５を備えた元竿３とで構成し、元竿３の竿先部分にリールＲから繰り出されてくる釣り糸ｃを元竿３から穂先竿１の内部に形成した釣り糸挿通経路ａ内に導入する糸導入孔３Ａを備えて構成してある。
ここに、穂先竿１の軸芯長Ｌ１は、二番竿、三番竿等の中竿２の軸芯長Ｌ２に比べて短くなっている。これによって、穂先竿１での釣り糸ｃに対する移動抵抗が低減でき、釣り操作の負担が軽減できる。
【００１４】
トップガイド４の構成について説明する。図３（イ）に示すように、トップガイド４は、先端側に向けて大径化するラッパ状を呈するガイド本体４Ａを設けるとともに、ガイド本体４Ａの先端開口部に先端ガイドリング４ａを装着し、ガイド本体４Ａの穂先竿側に臨む基端開口部に基端ガイドリング４ｂを装着し、ガイド本体４Ａを構成する壁部に、前記壁部に囲まれた釣り糸挿通空間ｂと外部空間とを連通させる貫通孔４ｃを形成して、構成してある。
【００１５】
図３（イ）に示すように、先端ガイドリング４ａ及び基端ガイドリング４ｂは、炭化水素等のセラミックを材料として円滑な表面加工を施したものであり、ガイド本体４Ａは、ステンレス、アルミ、チタン等の金属、或いは、軽量化を旨としてナイロン等のエンジニアリング樹脂を利用することが可能であり、これらの材料で成形したものにクロムメッキ等を施して仕上処理を施している。
【００１６】
図２（ロ）に示すように、糸導入孔３Ａの近くには、中竿２としての二番竿２Ｂ、元上２Ａの竿尻端が収納状態で位置することとなり、元上２Ａの竿尻端にゴム製のガイドリング（図示せず）が装着してあり、糸導入孔３Ａから取り入れられた釣り糸ｃを円滑に穂先竿１の釣り糸挿通経路ａ内に抵抗少なく導くように構成してある。
【００１７】
中通し竿Ａの釣り糸挿通経路ａ内にリールＲから繰り出された釣り糸ｃを導入する糸通しワイヤー具７について説明する。図２及び図３に示すように、糸通しワイヤー具７は、棒状の先端部７Ａと、リールＲからの釣り糸ｃを係止するリング状の釣り糸係止部７Ｂと、先端部７Ａと釣り糸係止部７Ｂとを連結する線状本体部７Ｃとで構成する。線状本体部７Ｃは、ナイロン、テトロン、ＡＢＳ樹脂等の熱可塑性樹脂が使用されており、適度な柔軟性を備えている。
【００１８】
トップガイド４に装着可能な先端キャップ８について説明する。
図３及び図５に示すように、先端キャップ８は、糸通しワイヤー具７の先端部７Ａを係止する大径弾頭型の頭部８Ａと、頭部８Ａより元側に糸通しワイヤー具７の釣り糸係止部７Ｂを受け止める大径の基端部８Ｂと、頭部８Ａと基端部８Ｂとの間に、頭部８Ａ及び基端部８Ｂより小径の巻付装着部８Ｃを設けて構成してある。
頭部８Ａから基端部８Ｂに亘る外周面に、糸通しワイヤー具７における先端部７Ａと釣り糸係止部７Ｂとを結ぶ線状本体部７Ｃの入り込みを許容するスリット部８Ｄを形成してある。
【００１９】
頭部８Ａから基端部８Ｂにおける範囲のうちの少なくとも基端部８Ｂの内部空間に、トップガイド４に先端キャップ８を外嵌装着可能な取付用穴部８Ｅを形成してある。これによって、図３（ロ）に示すように、先端キャップ８をトップガイド４に取り付けることができる。
一方、図４に示すように、小径の巻付装着部８Ｃには、糸通しワイヤー具７の線状本体部７Ｃを巻回することができ、線状本体部７Ｃの先端部分と後端部分とをスリット部８Ｄに挟み込み固定することによって、糸通しワイヤー具７を先端キャップ８に取り付けることができる。
【００２０】
以上のような構成になる、先端キャップ８と糸通しワイヤー具７の使用形態について説明する。図２（イ）に示すように、元上２Ａ、二番竿２Ｂ、穂先竿１を夫々元竿３内に収納し、元上２Ａ、二番竿２Ｂ等の中竿２の竿尻端を糸導入孔３Ａの近くに位置させる。この状態で糸通しワイヤー具７の釣り糸係止部７Ｂを穂先竿１のトップガイド４から釣り糸挿通経路ａ内に挿入する。
【００２１】
糸通しワイヤー具７を釣り糸挿通経路ａ内に挿入した状態で、図３（イ）に示すように、先端部７Ａがトップガイド４より突出するとともに、釣り糸係止部７Ｂが糸導入孔３Ａに臨む位置にある。トップガイド４より突出した線状本体部７Ｃに先端キャップ８のスリット部８Ｄを外嵌して線状本体部７Ｃを先端キャップ８に装着し、先端部７Ａを先端キャップ８の頭部８Ａに当接係止させた状態で、先端キャップ８をトップガイド４に外嵌装着する。
糸導入孔３Ａに臨む位置にある釣り糸係止部７Ｂについては、図２（ロ）に示すように、糸導入孔３Ａより外に引き出して、リールＲから繰り出されてくる釣り糸ｃを連結する。
【００２２】
以上のように、先端キャップ８をトップガイド４に装着した状態で、釣場に出向く際に、糸通しワイヤー具７を携行することができる。このような構成によって、釣場に到着して直ぐに、仕掛けを取り付け、釣操作を行うことができる。
【００２３】
図示してはいないが、釣操作を開始する際には、先端キャップ８を線状本体部７Ｃより取り外し、糸通しワイヤー具７を中通し竿Ａより引出した後に、糸通しワイヤー具７の線状本体部７Ｃを小径の巻付装着部８Ｃに巻回し、線状本体部７Ｃの先端部分と後端部分とをスリット部８Ｄに挟み込み固定することによって、糸通しワイヤー具７を先端キャップ８に取り付ける。
【００２４】
これによって、糸通しワイヤー具７と先端キャップ８とを一体で仕舞い処理できる。
釣りを終えて納竿する場合には、図４に示すように、糸通しワイヤー具７を先端キャップ８に取り付けた状態で、その先端キャップ８の取付用穴部８Ｅをトップガイド４に外嵌して先端キャップ８をトップガイド４に取付け、持ち帰ることになる。
この場合に、図示してはいないが、先端キャップ８をトップガイド４に取り付けた状態では、釣り糸係止部７Ｂは穂先竿１の外方に位置することになる。
【００２５】
〔別実施形態〕
（１）  上記構成では、穂先竿１の竿先端にトップガイド４を取り付けたものを設けたが、トップガイド４はなくてもよい。その場合には、トップガイドを備えていない穂先竿１の竿先端部に先端キャップ８を取り付ける構成を採ってもよい。
（２）  上記構成では、先端キャップ８を外嵌装着可能な取付用穴部８Ｅを形成したが、先端キャップ８の基端部に穂先竿１の竿先端部の開口内に内嵌することで、先端キャップ８を穂先竿１に装着固定できる、軸状の嵌合部を設けてもよい。
（３）  先端キャップ８としては、頭部８Ａを特に設ける必要はない。
【図面の簡単な説明】
【００２６】
【図１】中通し竿を示す側面図
【図２】（イ）糸通しワイヤー具を穂先竿のトップガイドから釣り糸挿通経路内に挿入する直前の状態を示す側面図、（ロ）糸通しワイヤー具を釣り糸挿通経路内に挿入した後に、糸通しワイヤー具に釣り糸を取り付けた状態を示す側面図
【図３】（イ）先端キャップをトップガイドに外嵌装着する前の状態を示す縦断側面図、（ロ）先端キャップをトップガイドに外嵌装着した状態を示す縦断側面図
【図４】糸通しワイヤー具を先端キャップに取り付け、トップガイドに取り付ける前の状態を示す側面図
【図５】先端キャップを示す斜視図
【符号の説明】
【００２７】
２            中竿
７            糸通しワイヤー具
７Ａ          先端部
７Ｂ          釣り糸係止部
７Ｃ          線状本体部
８Ａ          頭部
８Ｂ          基端部
８Ｃ          巻付装着部
８Ｄ          スリット部
８Ｅ          取付用穴部
Ａ            中通し竿
Ｌ１          穂先竿の軸芯長
Ｌ２          中竿の軸芯長
ａ            釣り糸挿通経路
ｃ            釣り糸
【図１】
0005051763.tif 000002
【図２】
0005051763.tif 000003
【図３】
0005051763.tif 000004
【図４】
0005051763.tif 000005
【図５】
0005051763.tif 000006